(57)【要約】      （修正有）【課題】ラベル紙を正確に位置決めして綺麗に貼り付けし得るラベル貼体装置を提供する。【解決手段】収容ケース１１と、ラベル紙を載置する載置台２およびラベル保持手段を有して蓋体１３に固定されたラベル保持具１とを備え、載置台２は案内溝２ｂが形成され、ラベル保持手段は、案内溝２ｂに装着されたスライド板２５、スライド板２５に立設されてラベル紙の中央孔口縁に当接するラベル保持片２６、およびスライド板２５の裏面に突設された突起２５ａを備えたラベル保持部３と、スライド板２５のスライド時に突起２５ａの軌跡と交差するように延びると共に突起２５ａの進入を許容するスリット４ａが形成されて載置台２と蓋体１３との間に回動可能に配設された案内板４と、スリット４ａによって突起２５ａが載置台２の外縁側に向かって案内される向きで案内板４が回動するように付勢する付勢部材６とを備えている。【選択図】図１
0003104208.tif 000002
【実用新案登録請求の範囲】
【請求項１】
ディスク体における中央孔の口縁と係合して当該ディスク体を保持するディスク保持部が形成されたケース本体、および当該ケース本体に回動自在に取り付けられて当該ケース本体の上面開口部位を閉塞すると共にインデックスカードを保持可能なインデックスカード保持部が形成された蓋体を有するディスク収容ケースと、
ディスク体に貼付可能に構成されたラベル紙を載置可能にその上面が平坦に形成された載置台、および前記ラベル紙の中央部に形成された中央孔の口縁に当接して当該ラベル紙を前記載置台上のラベル保持位置に位置決めしつつ保持するラベル保持手段を有して前記蓋体の前記インデックスカード保持部に固定されたラベル保持具とを備えて、前記ケース本体を前記蓋体に対して相対的に回動させて前記上面開口部位を閉塞することによって当該ラベル保持具によって保持されている前記ラベル紙を当該ケース本体によって保持されているディスク体に貼付可能に構成され、
前記載置台は、中央部側から外縁側に向けて延びるＮ個（Ｎは３以上の自然数）の案内溝が形成されて構成され、
前記ラベル保持手段は、
前記各案内溝にスライド自在に装着されたスライド板、当該スライド板の表面に立設されると共に前記載置台の前記上面から突出して前記ラベル紙における中央孔の口縁にその内側から当接可能なラベル保持片、および当該スライド板の裏面に突設された突起を備えたＮ個のラベル保持部と、
前記各スライド板を前記各案内溝内でスライドさせたときに前記各突起によって描かれる軌跡と交差するように中央部側から外縁側に向けて延びると共に前記各突起の進入を許容するＮ本のスリットが形成されて前記載置台と前記蓋体との間に回動可能に配設された案内板と、
前記案内板が前記載置台に対して回動するように当該案内板を付勢する付勢部材とを備えて構成され、
前記付勢部材は、前記各スリットによって前記各突起が前記載置台の外縁側に向かって案内される向きで前記案内板を回動させるラベル貼付装置。
【請求項２】
前記付勢部材は、形状記憶合金ワイヤおよびピアノ線の一方で構成され、一端側が前記載置台に連結されると共に他端側が前記案内板に連結されている請求項１記載のラベル貼付装置。
【考案の詳細な説明】
【技術分野】
【０００１】
本考案は、ディスク体に貼り付けするラベル紙を保持可能なラベル保持具がディスク収容ケースにおける蓋体のインデックスカード保持部に固定されて構成されたラベル貼付装置に関するものである。
【背景技術】
【０００２】
この種のラベル貼付装置として、特開２００１−７６３８６号公報に開示されているラベル貼付装置が従来から知られている。このラベル貼付装置は、光ディスクを位置決め保持するディスク位置決め突部が中央部に形成されたケース本体と、回動軸を介してケース本体に回動可能に支持された回動蓋と、回動蓋に装着可能な板状部材とを備え、光ディスクにラベルを貼付可能に構成されている。この場合、ラベルには、円形の中央開口部が形成されている。また、板状部材（ラベル保持具）には、ラベルの中央開口部に嵌入してラベルを位置決めするためのラベル位置決め突部が形成されている。この場合、ラベル位置決め突部の直径は、ラベルの中央開口部と同径に形成されている。このラベル貼付装置を用いて光ディスクにラベルを貼り付けする際には、まず、回動蓋に板状部材を取り付ける。次に、光ディスクをケース本体に装着すると共に、粘着剤層を上向きにしてラベルを板状部材にセットする。この際に、ラベルは、ラベル位置決め突部に中央開口部が嵌め合わされることによって、板状部材に位置決めされる。次いで、回動蓋に対してケース本体を回動させて閉じることにより、ラベルの粘着剤層が光ディスクの表面に密着して光ディスクに対するラベルの貼り付けが完了する。
【０００３】
ところが、このラベル貼付装置には、以下の問題点がある。すなわち、従来のラベル貼付装置では、ラベル（ラベル紙）は、板状部材（ラベル保持具）のラベル位置決め突部に中央開口部が嵌め合わされることにより、板状部材によって位置決めされつつ保持されている。この場合、従来のラベル貼付装置では、板状部材の中央部を凸状に形成することによってラベル位置決め突部が形成されている。一方、この種のラベル紙には、その中央開口部（中央孔）の内径が異なる各種サイズのラベル紙が存在する。したがって、従来のラベル貼付装置には、ラベル位置決め突部の直径よりも小径の中央孔が形成されたラベル紙を位置決め保持することができないという問題点がある。また、ラベル位置決め突部の直径よりも大径の中央孔が形成されたラベル紙については、中央孔の口縁とラベル位置決め突部の壁部との間に隙間が生じてラベル保持具に対してラベル紙が遊動する結果、ラベル保持具の中央にラベル紙を位置合わせするのが困難という問題点がある。この場合、ラベル保持具に対してラベル紙が偏心している状態で回動蓋に対してケース本体を回動させたときには、光ディスクに対してラベル紙が偏心した状態で貼り付けられる。かかる場合には、その光ディスクの再生に際して光ディスクが高速回転させられたときに、ラベル紙の偏心に起因する振動が生じるため、記録データを正常に読み取るのが困難となる。
【０００４】
この問題点を解決するため、本願出願人は、特願２００２−２５０００９において、ラベル紙の中央孔の口縁にその内側から当接可能なラベル保持片が立設されると共に載置台（ラベル紙用の載置台）に取り付けられて互いに離反または接近する方向にスライド可能に形成されたＮ個のラベル保持部と、載置台に対して回動させられることによって各ラベル保持部を離反または接近する方向において互いに同等の距離だけスライドさせるスライド機構とで構成されたラベル保持手段を備えたラベル貼付装置を提案している。このラベル貼付装置によれば、スライド機構を回動操作してラベル保持部をスライドさせることで、その内径が異なる各種の中央孔における口縁に各ラベル保持片を当接させてラベル紙を正確かつ容易に位置決めさせつつ保持させることができる。
【特許文献１】特開２００１−７６３８６号公報（第３−５頁、図２−４）
【考案の開示】
【考案が解決しようとする課題】
【０００５】
ところが、本願出願人は、このラベル貼付装置についてさらに研究を行った結果、以下の改善すべき課題を発見した。すなわち、この本願出願人の提案によるラベル貼付装置では、スライド機構を手動で回動操作してラベル保持部をスライドさせることで、その内径が異なる各種の中央孔における口縁に各ラベル保持片を当接させてラベル紙を位置決めしている。この場合、スライド機構の回動操作の際に、スライド機構に適度な力を加えたときには、ラベル紙の中央孔における口縁に各ラベル保持片を適度な力で当接させることができるため、撓みのない状態で正確に（偏心しないように）ラベル紙を位置決めできる。その一方、その際に、スライド機構を操作する力が使用者によってばらつくこともある。このようなときには、各ラベル保持片からラベル紙に加わる力もばらつくため、各ラベル保持片からラベル紙に加わる力が大き過ぎるときには、ラベル紙に撓みや破れが発生し、逆に、各ラベル保持片からラベル紙に加わる力が小さ過ぎるときには、ラベル紙の中央孔の口縁にすべてのラベル保持片が当接しないことに起因してラベル紙を正確に位置決めするのが困難となるという事態が生じるおそれがある。このため、このようなときには、光ディスクに対して、ラベル紙を正確に位置決めして綺麗に貼り付けすることが困難となるおそれがあり、この点を改善すべきとの課題が存在する。
【０００６】
本考案は、かかる課題に鑑みてなされたものであり、ラベル紙を正確に位置決めして綺麗に貼り付けし得るラベル貼付装置を提供することを主目的とする。
【課題を解決するための手段】
【０００７】
上記目的を達成すべく本考案にラベル貼付装置は、ディスク体における中央孔の口縁と係合して当該ディスク体を保持するディスク保持部が形成されたケース本体、および当該ケース本体に回動自在に取り付けられて当該ケース本体の上面開口部位を閉塞すると共にインデックスカードを保持可能なインデックスカード保持部が形成された蓋体を有するディスク収容ケースと、ディスク体に貼付可能に構成されたラベル紙を載置可能にその上面が平坦に形成された載置台、および前記ラベル紙の中央部に形成された中央孔の口縁に当接して当該ラベル紙を前記載置台上のラベル保持位置に位置決めしつつ保持するラベル保持手段を有して前記蓋体の前記インデックスカード保持部に固定されたラベル保持具とを備えて、前記ケース本体を前記蓋体に対して相対的に回動させて前記上面開口部位を閉塞することによって当該ラベル保持具によって保持されている前記ラベル紙を当該ケース本体によって保持されているディスク体に貼付可能に構成され、前記載置台は、中央部側から外縁側に向けて延びるＮ個（Ｎは３以上の自然数）の案内溝が形成されて構成され、前記ラベル保持手段は、前記各案内溝にスライド自在に装着されたスライド板、当該スライド板の表面に立設されると共に前記載置台の前記上面から突出して前記ラベル紙における中央孔の口縁にその内側から当接可能なラベル保持片、および当該スライド板の裏面に突設された突起を備えたＮ個のラベル保持部と、前記各スライド板を前記各案内溝内でスライドさせたときに前記各突起によって描かれる軌跡と交差するように中央部側から外縁側に向けて延びると共に前記各突起の進入を許容するＮ本のスリットが形成されて前記載置台と前記蓋体との間に回動可能に配設された案内板と、前記案内板が前記載置台に対して回動するように当該案内板を付勢する付勢部材とを備えて構成され、前記付勢部材は、前記各スリットによって前記各突起が前記載置台の外縁側に向かって案内される向きで前記案内板を回動させる。
【０００８】
この場合、形状記憶合金ワイヤおよびピアノ線の一方で前記付勢部材を構成することができ、この構成では、一端側を前記載置台に連結し、他端側を前記案内板に連結する。
【考案の効果】
【０００９】
本考案に係るラベル貼付装置では、付勢部材が、各スリットによって各突起が載置台の外縁側に向かって案内される向きで案内板を回動させることにより、各ラベル保持部を案内溝に沿って載置台の外縁側に向けて移動させて、各ラベル保持片をラベル紙における中央孔の口縁にその内側から当接させる。このため、付勢部材の付勢力に抗して案内板を手動で回動操作して各ラベル保持部を案内溝の内側にスライドさせ、この状態で、各ラベル保持部のラベル保持片が中央孔内に進入するようにしてラベル紙を載置台に載置し、その後に案内板から手を離すことにより、案内板が付勢部材の付勢力によって回動して、各突起が案内板と共に回動する各スリットによって案内されて載置台の外縁側に向けて移動する。これに伴い、各ラベル保持部も案内溝に沿って載置台の外縁側に向けて移動して、各ラベル保持片がラベル紙における中央孔の口縁にその内側から当接する。この場合、各ラベル保持片が付勢部材によって常にほぼ一定の力でラベル紙に当接させられるため、付勢部材の付勢力を適切な大きさに予め設定しておくことで、ラベル紙の中央孔における口縁に各ラベル保持片を適切な力で当接させることができる。したがって、このラベル貼付装置によれば、撓みのない状態でラベル紙を載置台上で正確に位置決めすることができる結果、ラベル紙をディスク体に綺麗に貼り付けることができる。
【００１０】
また、本考案に係るラベル貼付装置によれば、一端側を載置台に連結し、他端側を案内板に連結した形状記憶合金ワイヤまたはピアノ線で付勢部材を構成することにより、簡易な構造で案内板を付勢することができる。
【考案を実施するための最良の形態】
【００１１】
以下、添付図面を参照して、本考案に係るラベル貼付装置の最良の形態について説明する。
【００１２】
最初に、ラベル貼付装置Ｓ１の構成について、図面を参照して説明する。
【００１３】
図１に示すラベル貼付装置Ｓ１は、ラベル保持具１と収容ケース１１とを備え、一例として、その直径が１２ｃｍのＣＤ−ＲやＣＤ−ＲＷなどの光ディスク（本考案におけるディスク体）にラベル紙を貼り付けることができるように構成されている。この場合、光ディスク（図示せず）には、その中央部に直径１５ｍｍ程度のクランプ（チャッキング）用の中心孔が形成されると共に、その中心孔の周囲には、幅１〜１３ｍｍ程度のクランプエリアが設けられている。また、ラベル紙（図示せず）は、その裏面に粘着剤層が形成されて台紙に貼り付けられると共に、その中央部には、光ディスクに貼り付けた状態においてクランプエリアを露出させるための中央孔が形成されて光ディスクに貼付可能に構成されている。このラベル紙の中央孔の内径は、１７ｍｍ以上４１ｍｍ以下の範囲内で製造メーカや製品タイプ毎に様々に異なっている。また、この種のラベル紙は、その表面に筆記具や印刷機によって各種記号や図柄を書込み（印刷）可能に構成されている。
【００１４】
収容ケース１１は、本考案におけるディスク収容ケースに相当し、図５に示すように、平面視長方形のケース本体１２、平面視長方形の蓋体１３、および平面視長方形のディスクトレイ（以下、「トレイ」ともいう）１４を備えている。ケース本体１２は、トレイ１４と相俟って本考案におけるケース本体を構成し、その底板１２ａに側壁１２ｂ，１２ｂ，１２ｂが立設されてトレイ１４を取付け可能な浅皿状に形成されている。また、ケース本体１２の一辺（図５中の左辺）には、蓋体１３との連結に用いられる一対の孔１２ｃ，１２ｃが同軸上に形成されている。蓋体１３は、同図に示すように、天板１３ａの四辺に沿って側壁１３ｂ，１３ｂ・・が立設されて浅皿状に形成されている。また、側壁１３ｂには、天板１３ａと相俟ってインデックスカード（図示せず）を保持するインデックスカード保持片（以下、「保持片」ともいう）１３ｃ，１３ｃ・・が形成されている。この場合、蓋体１３の天板１３ａ、側壁１３ｂ，１３ｂおよび保持片１３ｃ，１３ｃ・・によってインデックスカード保持部が構成される。また、蓋体１３の角部Ｃ１，Ｃ２には、ケース本体１２に取り付けるための回動軸１３ｄ，１３ｄが同軸上に形成されている。トレイ１４は、光ディスクを保持するためのディスク保持部１５を備えている。この場合、ディスク保持部１５は、光ディスクにおける中心孔の口縁と係合して光ディスクをトレイ１４に保持するための複数のディスク保持片（以下、「保持片」ともいう）１５ａ，１５ａ・・を備えて構成されている。以上の構成を備えたケース本体１２と蓋体１３とは、蓋体１３に形成された各回動軸１３ｄ，１３ｄがケース本体１２に形成された各孔１２ｃ，１２ｃに挿入されることにより、一方の他方に対する相対的な回動が自在に両者が連結される。
【００１５】
一方、図１に示すように、ラベル保持具１は、載置台２、ラベル保持部３、案内板４および付勢部材６を備えて構成されている。載置台２は、収容ケース１１における蓋体１３に取り付け可能に全体としてインデックスカードと同様の矩形状に形成されている。また、載置台２は、図２に示すように、上面の中央部位（以下、「載置部」ともいう）２２がラベル紙を載置可能に平坦な扁平有底円筒状に形成されて、その内部にラベル保持部３、案内板４および付勢部材６を収容可能に構成されている。また、載置台２は、その四隅部位がラベル保持具１を天板１３ａに固定するためのベース部２１ａ〜２１ｄとして構成されている。さらに、載置台２は、載置部２２と各四隅部位とが樹脂材料で一体成形されて構成されている。また、載置部２２には、中心Ｄから外縁側に向けて径方向と平行に延びる３個以上（本例では一例として３個）の長孔２ａが、等角度（１２０°間隔）で全体として平面視Ｙ字状に開口されている。この場合、各長孔２ａは、その外縁を通る仮想円の直径が４１ｍｍ強に規定されて、１７ｍｍ以上４１ｍｍ以下の範囲内の直径で中央孔が形成されたラベル紙を装着し得るように構成されている。また、載置部２２の内底面には、各長孔２ａの延長線上において、案内溝２ｂが中心Ｄから外縁側に向けて延びるようにしてそれぞれ形成されている。さらに、載置部２２における一対のベース部２１ｃ，２１ｄで挟まれた周壁には、図１，２に示すように、案内板４に形成された後述するつまみを載置部２２の外部に突出させるためのスリット２ｃが開口されている。
【００１６】
ラベル保持部３は、図１，２に示すように、３つのスライド板２５，２５，２５を備えて構成されている。各スライド板２５は、載置台２に形成された案内溝２ｂにスライド自在に装着し得るようにその外形寸法が規定されている。また、図３に示すように、スライド板２５の一端側における表面には、ラベル保持片２６が立設されると共に、その裏面のほぼ中央には突起２５ａが突設されている。この場合、ラベル保持片２６は、その平面視形状が円弧状に形成されている。また、各スライド板２５が載置台２の各案内溝２ｂ内に装着された状態において載置部２２の中心Ｄ側に最も移動したときには、各ラベル保持片２６，２６，２６は、互いに接すると共に、図１に示すように直径が１７ｍｍ弱のリング体を全体として構成する。一方、各スライド板２５が載置部２２の中心Ｄから最も離間した状態（図２に示す状態）では、各ラベル保持片２６，２６，２６の最外縁部を通る仮想円の直径が４１ｍｍ強となる。したがって、このラベル保持具１では、上記したように、内径が１７ｍｍ以上４１ｍｍ以下の範囲内の径で中央孔が形成された各種のラベル紙を保持することが可能となっている。
【００１７】
案内板４は、載置台２に対してスライド板２５，２５，２５をスライドさせるための部材であって、載置部２２の内径よりも若干小径な円板状に形成されて、載置台２と蓋体１３との間に回動自在に配設されている。また、案内板４には、その外周面に載置部２２の側方に突出させられるつまみ２８が形成されると共に、各スライド板２５を各案内溝２ｂ内でスライドさせたときに各突起２５ａによって描かれる軌跡（言い換えれば、各案内溝２ｂ（または各長孔２ａ））と交差するように中央部側から外縁側に向けて斜めに延びるスリット４ａ，４ａ，４ａがスライド板２５と同数（３本）形成されている。この場合、各スリット４ａは、平面視形状が弧状にそれぞれ形成されると共に、案内板４の中心を基準として互いに回転対称となるように形成されている。また、各スリット４ａの幅は、スライド板２５に形成された突起２５ａの進入を許容できるように規定されている。付勢部材６は、形状記憶合金ワイヤまたはピアノ線で構成されて、湾曲させられた状態（螺旋状に形成された状態）においては、元の形状（例えば直線形状）に戻る付勢力を生じさせる。このように、付勢部材６を形状記憶合金ワイヤやピアノ線で構成することにより、簡易な構造でありながら、案内板４を十分に付勢して回動させることができる。
【００１８】
ラベル保持具１の組み立ての際には、まず、長孔２ａを介して載置部２２の表面からラベル保持片２６が突出するように各スライド板２５を載置部２２の内側から各案内溝２ｂに装着する。次いで、各スリット４ａ内に各スライド板２５の突起２５ａが進入し、かつつまみ２８がスリット２ｃから突出するようにして案内板４を載置部２２内に装着する。なお、案内板４を載置部２２に装着する際に、付勢部材６については、螺旋状に湾曲させると共に、一端側（螺旋の外側の端部）を載置部２２の内面に連結させ、かつ他端側（螺旋の内側の端部）を案内板４に連結させた状態で、載置台２の載置部２２と案内板４との間に装着する。これにより、ラベル保持具１が完成する。この構成により、このラベル保持具１では、付勢部材６が一種のゼンマイとして機能し、自らが巻き解かれる方向に載置台２と案内板４とを相対的に回動させるように、案内板４に付勢力を常時作用させる。なお、ラベル保持部３と案内板４と付勢部材６とによって本考案におけるラベル保持手段が構成される。
【００１９】
このラベル貼付装置Ｓ１の組み立てに際しては、まず、図２に示すように、ラベル保持具１のベース部２１ａ〜２１ｄに両面粘着シート５を貼り付ける。次に、図１に示すように、ベース部２１ａ，２１ｂを蓋体１３の角部Ｃ１，Ｃ２の側に位置させるようにして、蓋体１３における天板１３ａと保持片１３ｃ，１３ｃとの間にベース部２１ａ，２１ｂを挿入する。この際に、同図に示すように、ベース部２１ａ，２１ｂの角部が角部Ｃ１，Ｃ２において蓋体１３の側壁１３ｂ，１３ｂの内壁面に当接する結果、蓋体１３に対してラベル保持具１が位置決めされる。次いで、ラベル保持具１を蓋体１３に向けて移動させてベース部２１ａ〜２１ｄに貼り付けられている両面粘着シート５，５・・を蓋体１３に面的に接触させた後に、天板１３ａとベース部２１ａ〜２１ｄとを接近させる向きで例えば指によって押圧する。これにより、両面粘着シート５，５・・が天板１３ａに密着して蓋体１３に対するラベル保持具１の固定が完了して、ラベル貼付装置Ｓ１が完成する。この場合、載置台２における載置部２２の内部に装着された各スライド板２５、付勢部材６および案内板４は、図４に示すように、載置台２と天板１３ａとの間でそれぞれ挟まれた状態で、載置台２の載置部２２と天板１３ａとの間に形成された空隙内に保持される。また、この状態において、案内板４は、載置部２２の中心Ｄを中心として回動自在な状態で、かつ、図１，２における反時計方向（図２中の矢印Ｂ１方向）に常時回転するように付勢部材６によって付勢されている。したがって、案内板４は、図２中の矢印Ｂ１方向に付勢部材６によって回動させられるが、同図に示すように、つまみ２８がスリット２ｃのベース部２１ｃ側の端部に当接した時点で回動が規制される。
【００２０】
次いで、ラベル貼付装置Ｓ１の使用方法について、図面を参照して説明する。
【００２１】
まず、台紙に貼付された状態のラベル紙に、貼付対象の光ディスクに記録された記録データの内容等をプリンタなどで印刷する。次に、収容ケース１１のケース本体１２（トレイ１４）に、表面（ラベル紙を貼付する側の面）を上向きにして光ディスクを取り付ける。この際に、ディスク保持部１５のラベル保持片１５ａ，１５ａ・・と光ディスクにおける中心孔の口縁部とが係合して、光ディスクがケース本体１２によって保持される。次に、つまみ２８を掴んでラベル保持具１の案内板４を図２に示す矢印Ｂ１とは逆の向き（時計方向の向き）で、付勢部材６の付勢力に抗して載置台２に対して回動させる。この場合、案内板４と共に時計方向に回動する各スリット４ａによって案内されることにより、各突起２５ａが載置部２２の中心Ｄ側に徐々に移動し、これに伴って各スライド板２５も各案内溝２ｂ内を中心Ｄ側に向けて徐々に移動（スライド）する。この際に、各スリット４ａが中心Ｄを基準として回転対称に形成されているため、各スライド板２５は、各案内溝２ｂに案内されて中心Ｄ側（図２中の矢印Ｂ２とは逆の方向）に向かって、常に中心Ｄからの距離が互いに等しくなる状態で同時に移動する。このため、各スライド板２５の表面に立設された各ラベル保持片２６の最外縁部を通る仮想円の直径は、次第に縮径して、各ラベル保持片２６，２６，２６が互いに接した状態では１７ｍｍ弱になる。次いで、台紙から剥がしたラベル紙を、ラベル保持片２６がラベル紙の中央孔に嵌入され、かつ粘着剤層が上向きとなるようにしてラベル保持具１における載置部２２の上に載置する。
【００２２】
次に、掴んでいたつまみ２８を放すことにより、案内板４が、付勢部材６の付勢力により、図２に示す矢印Ｂ１の向き（反時計方向の向き）に回動する。この際に、各突起２５ａが、案内板４と共に反時計方向に回動する各スリット４ａによって案内されることにより、載置部２２の外縁側に移動する。したがって、各スライド板２５は、各案内溝２ｂに案内されて中心Ｄから離反する方向（図２中の矢印Ｂ２の方向）に同時に移動する。このため、各スライド板２５の表面に立設された各ラベル保持片２６の最外縁部を通る仮想円の直径が次第に拡径して、各ラベル保持片２６，２６，２６がラベル紙における中央孔の口縁部にそれぞれ当接する。この場合、各スライド板２５，２５，２５は、載置部２２の中心Ｄからの距離が常に等しい状態を維持しつつ移動する。したがって、ラベル保持片２６，２６，２６の外壁面が中央孔の口縁部に当接した状態のラベル紙は、ラベル保持片２６，２６，２６によって載置部２２の中央部（本考案におけるラベル保持位置）に位置決めされた状態で保持される。この場合、このラベル紙の位置決めは、付勢部材６の付勢力で移動する各スライド板２５，２５，２５によって行われる。このため、手動で案内板４を回動させて各スライド板２５，２５，２５を移動させる構成とは異なり、ラベル紙における中央孔の口縁部に当接しているラベル保持片２６，２６，２６からこの中央孔の口縁部に加わる圧力は、使用者毎に大きくばらつくことなく均一となる。したがって、付勢部材６の付勢力を予め適切な値に設定しておくことにより、ラベル紙は、ラベル保持片２６，２６，２６から受ける圧力に起因する撓みや破れが生じることなく、偏心のない状態で正確に位置決めされる。
【００２３】
次いで、この状態の蓋体１３に対してケース本体１２を相対的に回動させてケース本体１２の上面開口部位を閉塞し（収容ケース１１を閉じ）、トレイ１４のディスク保持部１５によって保持されている光ディスクと、蓋体１３に取り付けたラベル保持具１によって保持されているラベル紙とを密着させる。これにより、光ディスクの表面にラベル紙の粘着剤層が密着して、光ディスクの表面にラベル紙が貼り付けられる。次いで、蓋体１３に対してケース本体１２を回動させて収容ケース１１を開放する。これにより、ディスク保持部１５によって保持された状態の光ディスクにラベル紙が貼付されて作業が完了する。
【００２４】
このように、このラベル貼付装置Ｓ１では、付勢部材６が、各スリット４ａによって各突起２５ａが載置台２（載置部２２）の外縁側に向かって案内される向きで案内板４を回動させることにより、各スライド板２５を案内溝２ｂに沿って載置部２２の外縁側に向けて移動させて、各ラベル保持片２６をラベル紙における中央孔の口縁にその内側から当接させる。この場合、各ラベル保持片２６が付勢部材６によって常にほぼ一定の力でラベル紙に当接させられるため、付勢部材６の付勢力を適切な大きさに予め設定しておくことで、ラベル紙の中央孔における口縁に各ラベル保持片２６を適切な力で当接させることができる。したがって、このラベル貼付装置Ｓ１によれば、撓みのない状態でラベル紙を載置部２２上で正確に位置決めすることができる結果、ラベル紙を光ディスクに綺麗に貼り付けることができる。
【００２５】
なお、本考案は、上記した構成に限定されない。例えば、付勢部材６を載置台２と案内板４との間に配設する例について説明したが、案内板４と蓋体１３における天板１３ａとの間に付勢部材６を配設することもできる。また、直径１２ｃｍのＣＤ−ＲやＣＤ−ＲＷをラベル紙の貼付対象とする例について説明したが、本考案におけるディスク体の直径は１２ｃｍに限定されず、さらに、その種類もＣＤ−ＲやＣＤ−ＲＷのみならず、ＣＤ−ＲＯＭ、ＤＶＤ−ＲＯＭ、ＤＶＤ−ＲおよびＤＶＤ−ＲＷなどの各種のディスク体を貼付対象とすることができる。さらに、本考案におけるディスク体は、光ディスクなどのディスク状記録媒体に限定されず、記録媒体以外の各種ディスク体がこれに含まれる。また、本考案におけるディスク収容ケースは、ケース本体１２、蓋体１３およびトレイ１４からなる収容ケース１１に限定されず、その内底面にディスク保持部１５が直接形成されたケース本体と、ラベル保持具１を保持可能な蓋体とからなるディスク収容ケースもこれに含まれる。
【図面の簡単な説明】
【００２６】
【図１】ケース本体１２と蓋体１３とを開いた状態におけるラベル貼付装置Ｓ１の平面図である。
【図２】ラベル貼付装置Ｓ１におけるラベル保持具１の平面図である。
【図３】スライド板２５の斜視図である。
【図４】図１におけるＡ−Ａ線断面図である。
【図５】収容ケース１１の平面図である。
【符号の説明】
【００２７】
１  ラベル保持具
２  載置台
２ｂ  案内溝
３  ラベル保持部
４  案内板
４ａ  スリット
６  付勢部材
１１  ディスク収容ケース
１２  ケース本体
１３  蓋体
１４  ディスクトレイ
１５  ディスク保持部
２２  載置部
２５  スライド板
２５ａ  突起
２６  ラベル保持片
Ｓ１  ラベル貼付装置
【図１】
0003104208.tif 000003
【図２】
0003104208.tif 000004
【図３】
0003104208.tif 000005
【図４】
0003104208.tif 000006
【図５】
0003104208.tif 000007